(57)【要約】      （修正有）【課題】関心地点情報をプッシュするための方法及びシステムを提供する。【解決手段】関心地点情報をプッシュするための方法であって、電子地図を表示するステップＳ２０１と、電子地図上の目標関心地点を特定するステップＳ２０２と、目標関心地点についての少なくとも１つの記述情報のアクセス識別を取得するステップＳ２０３と、目標関心地点についての少なくとも１つの記述情報のアクセス識別を表示するステップＳ２０４とを含む。【選択図】図２
2016004571.tif 000002
【特許請求の範囲】
【請求項１】
関心地点情報をプッシュするための方法であって、
電子地図を表示するステップと、
前記電子地図上の目標関心地点を特定するステップと、
前記目標関心地点についての少なくとも１つの記述情報のアクセス識別を取得するステップと、
前記目標関心地点についての前記少なくとも１つの記述情報の前記アクセス識別を表示するステップと
を含むことを特徴とする、方法。
【請求項２】
前記電子地図上の目標関心地点を特定する前記ステップは、
関連端末についての位置情報及び候補関心地点についての位置情報に従って、前記電子地図上の前記端末に最も近い候補関心地点を取得するステップと、
前記端末に最も近い前記候補関心地点の距離閾値及び前記端末に最も近い前記候補関心地点についての経路情報を取得するステップと、
前記端末と前記端末に最も近い前記候補関心地点との間の距離が前記距離閾値以下であり、前記経路情報が前記端末の移動経路を含む場合、前記端末に最も近い前記候補関心地点を前記目標関心地点とみなすステップと
を含むことを特徴とする、請求項１に記載の方法。
【請求項３】
前記電子地図上の目標関心地点を特定する前記ステップは、
関連端末についての位置情報及び候補関心地点についての位置情報に従って、前記電子地図上の前記端末に最も近い少なくとも１つの候補関心地点を取得するステップと、
クライアントについてのユーザの興味情報を取得するステップと、
前記ユーザの興味情報及び前記少なくとも１つの候補関心地点に従って、前記目標関心地点を特定するステップと
を含むことを特徴とする、請求項１に記載の方法。
【請求項４】
前記電子地図上の目標関心地点を特定する前記ステップは、
前記電子地図上の第１のトリガ位置に従って、前記目標関心地点を特定するステップを含み、
前記第１のトリガ位置は、指接触位置、マウスクリック位置又はマウスホバー位置を含むことを特徴とする、請求項１に記載の方法。
【請求項５】
前記目標関心地点についての前記少なくとも１つの記述情報の前記アクセス識別を表示する前記ステップの後、
第２のトリガ位置及び前記目標関心地点についての前記少なくとも１つの記述情報の前記アクセス識別に従って、前記電子地図上の前記第２のトリガ位置に対応する前記目標関心地点についての記述情報を取得するステップと、
前記目標関心地点についての前記記述情報を表示するステップと
を更に含むことを特徴とする、請求項１〜４のいずれか一項に記載の方法。
【請求項６】
前記第２のトリガ位置に対応する前記目標関心地点についての記述情報を取得する前記ステップは、
関連端末に事前に格納された前記目標関心地点についての記述情報を取得するか、又はサーバから前記目標関心地点についての前記記述情報をダウンロードするステップを含み、
サーバから前記目標関心地点についての前記記述情報をダウンロードする方法は、無線ダウンロード又は有線ダウンロードを含み、前記無線ダウンロードは、モバイルセルラネットワークを使用してダウンロードすること、第三世代移動通信技術（３Ｇ）ネットワークを使用してダウンロードすること、第四世代移動通信技術（４Ｇ）ネットワークを使用してダウンロードすること、又はワイヤレスネットワークを使用してダウンロードすることを含むことを特徴とする、請求項５に記載の方法。
【請求項７】
前記目標関心地点についての前記記述情報は、次のフォーマット、即ち、画像フォーマット、音声フォーマット、映像フォーマット及びテキストフォーマットの少なくとも１つを含むことを特徴とする、請求項１、５又は６に記載の方法。
【請求項８】
前記目標関心地点についての前記記述情報は、次の情報、即ち、関心地点の写真、関心地点の紹介、関心地点のパノラマ画像及び関心地点の経路情報の少なくとも１つを含むことを特徴とする、請求項１、５、６又は７に記載の方法。
【請求項９】
関連端末の写真デバイスによって撮影された前記目標関心地点の写真を取得するステップと、
前記目標関心地点の前記写真をサーバに送信するステップと
を更に含むことを特徴とする、請求項１〜８のいずれか一項に記載の方法。
【請求項１０】
関心地点情報をプッシュするためのシステムであって、
電子地図を表示するための表示ユニットと、
前記電子地図上の目標関心地点を特定するための第１の処理ユニットと、
前記目標関心地点についての少なくとも１つの記述情報のアクセス識別を取得するための第２の処理ユニットと、
前記目標関心地点についての前記少なくとも１つの記述情報の前記アクセス識別を更に表示するための前記表示ユニットと
を備えることを特徴とする、システム。
【請求項１１】
前記第１の処理ユニットは、具体的には、
関連端末についての位置情報及び候補関心地点についての位置情報に従って、前記電子地図上の前記端末に最も近い候補関心地点を取得するため、
前記端末に最も近い前記候補関心地点の距離閾値及び前記端末に最も近い候補関心地点についての経路情報を取得するため、及び、
前記端末と前記端末に最も近い前記候補関心地点との間の距離が前記距離閾値以下であり、前記経路情報が前記端末の移動経路を含む場合、前記端末に最も近い前記候補関心地点を前記目標関心地点とみなすため
に使用されることを特徴とする、請求項１０に記載のシステム。
【請求項１２】
前記第１の処理ユニットは、具体的には、
関連端末についての位置情報及び候補関心地点についての位置情報に従って、前記電子地図上の前記端末に最も近い少なくとも１つの候補関心地点を取得するため、
クライアントについてのユーザの興味情報を取得するため、及び、
前記ユーザの興味情報及び前記少なくとも１つの候補関心地点に従って、前記目標関心地点を特定するため
に使用されることを特徴とする、請求項１０に記載のシステム。
【請求項１３】
前記第１の処理ユニットは、具体的には、
前記電子地図上の第１のトリガ位置に従って、前記目標関心地点を特定するために使用され、
前記第１のトリガ位置は、指接触位置、マウスクリック位置又はマウスホバー位置を含むことを特徴とする、請求項１０に記載のシステム。
【請求項１４】
第２のトリガ位置及び前記目標関心地点についての前記少なくとも１つの記述情報の前記アクセス識別に従って、前記電子地図上の前記第２のトリガ位置に対応する前記目標関心地点についての記述情報を取得するための第３の処理ユニットと、
前記目標関心地点についての前記記述情報を更に表示するための前記表示ユニットと
を更に備えることを特徴とする、請求項１０〜１３のいずれか一項に記載のシステム。
【請求項１５】
前記第３の処理ユニットは、具体的には、
関連端末に事前に格納された前記目標関心地点についての記述情報を取得するか、又はサーバから前記目標関心地点についての前記記述情報をダウンロードするために使用され、
サーバから前記目標関心地点についての前記記述情報をダウンロードする方法は、無線ダウンロード又は有線ダウンロードを含み、前記無線ダウンロードは、モバイルセルラネットワークを使用してダウンロードすること、３Ｇネットワークを使用してダウンロードすること、４Ｇネットワークを使用してダウンロードすること、又はワイヤレスネットワークを使用してダウンロードすることを含むことを特徴とする、請求項１４に記載のシステム。
【請求項１６】
前記目標関心地点についての前記記述情報は、次のフォーマット、即ち、画像フォーマット、音声フォーマット、映像フォーマット及びテキストフォーマットの少なくとも１つを含むことを特徴とする、請求項１０、１４又は１５に記載のシステム。
【請求項１７】
前記目標関心地点についての前記記述情報は、次の情報、即ち、関心地点の写真、関心地点の紹介、関心地点のパノラマ画像及び関心地点の経路情報の少なくとも１つを含むことを特徴とする、請求項１０、１４、１５又は１６に記載のシステム。
【請求項１８】
関連端末の写真デバイスによって撮影された前記目標関心地点の写真を取得するための第４の処理ユニットと、
前記目標関心地点の前記写真をサーバに送信するための出力ユニットと
を更に備えることを特徴とする、請求項１０〜１７のいずれか一項に記載のシステム。
【発明の詳細な説明】
【技術分野】
【０００１】
本発明は、インターネットアプリケーションの分野に関し、具体的には、関心地点情報をプッシュするための方法及びシステムに関する。
【背景技術】
【０００２】
電子地図は、コンピュータ技術を使用してデジタル方式で格納及び閲覧が行われる地図である。電子地図は、通常、ベクトル画像を使用して格納され、地図のスケールは、表示効果に影響を及ぼすことなく、ズームイン、ズームアウト又は回転を行うことができる。先行技術では、電子地図を表示することができる地図クライアントは、通常、ユーザの旅行に大きな利便性をもたらす位置サービス及びナビゲーションサービスなどをユーザに提供するため、地理情報システムを使用して地図データの格納及び伝送を行う。
【発明の概要】
【発明が解決しようとする課題】
【０００３】
しかし、地図クライアントがユーザにサービスを提供する間、ユーザが電子地図の関心地点についての紹介及び写真などの更なる情報を知る必要がある場合、ユーザは、インターネット上で関心地点についての情報を手動で検索する必要がある。関心地点が観光地域の場合、ユーザは、端末を手動で制御して地図クライアントを終了し、次いで、端末で観光ガイドクライアントを開くか、又は観光ガイド端末を直接使用するかして、観光地域の情報を取得することができる。したがって、現在、関心地点情報をユーザに提供する効率は比較的低い。
【課題を解決するための手段】
【０００４】
この点に関し、本発明の実施形態は、関心地点情報をプッシュするための方法及びシステムを提供し、これらは、関心地点情報をプッシュする効率を向上することができる。
【０００５】
本発明の実施形態は、関心地点情報をプッシュするための方法であって、
電子地図を表示するステップと、
電子地図上の目標関心地点を特定するステップと、
目標関心地点についての少なくとも１つの記述情報のアクセス識別を取得するステップと、
目標関心地点についての少なくとも１つの記述情報のアクセス識別を表示するステップと
を含む、方法を提供する。
【０００６】
上記で言及される方法では、電子地図上の目標関心地点を特定するステップは、
端末についての位置情報及び候補関心地点についての位置情報に従って、電子地図上の関連端末に最も近い候補関心地点を取得するステップと、
端末に最も近い候補関心地点の距離閾値及び端末に最も近い候補関心地点についての経路情報を取得するステップと、
端末と端末に最も近い候補関心地点との間の距離が距離閾値以下であり、経路情報が端末の移動経路を含む場合、端末に最も近い候補関心地点を目標関心地点とみなすステップと
を含む。
【０００７】
上記で言及される方法では、電子地図上の目標関心地点を特定するステップは、
端末についての位置情報及び候補関心地点についての位置情報に従って、電子地図上の関連端末に最も近い少なくとも１つの候補関心地点を取得するステップと、
クライアントについてのユーザの興味情報を取得するステップと、
ユーザの興味情報及び少なくとも１つの候補関心地点に従って、目標関心地点を特定するステップと
を含む。
【０００８】
上記で言及される方法では、電子地図上の目標関心地点を特定するステップは、
電子地図上の第１のトリガ位置に従って、目標関心地点を特定するステップ
を含み、
第１のトリガ位置は、指接触位置、マウスクリック位置又はマウスホバー位置を含む。
【０００９】
上記で言及される方法では、目標関心地点についての少なくとも１つの記述情報のアクセス識別を表示するステップの後、本方法は、
第２のトリガ位置及び目標関心地点についての少なくとも１つの記述情報のアクセス識別に従って、電子地図上の第２のトリガ位置に対応する目標関心地点についての記述情報を取得するステップと、
目標関心地点についての記述情報を表示するステップと
を更に含む。
【００１０】
上記で言及される方法では、第２のトリガ位置に対応する目標関心地点についての記述情報を取得するステップは、
関連端末に事前に格納された目標関心地点についての記述情報を取得するか、又はサーバから目標関心地点についての記述情報をダウンロードするステップ
を含み、
サーバから目標関心地点についての記述情報をダウンロードする方法は、無線ダウンロード又は有線ダウンロードを含み、無線ダウンロードは、モバイルセルラネットワークを使用してダウンロードすること、第三世代移動通信技術（３Ｇ）ネットワークを使用してダウンロードすること、第四世代移動通信技術（４Ｇ）ネットワークを使用してダウンロードすること、又はワイヤレスネットワークを使用してダウンロードすることを含む。
【００１１】
上記で言及される方法では、目標関心地点についての記述情報は、次のフォーマット、即ち、画像フォーマット、音声フォーマット、映像フォーマット及びテキストフォーマットの少なくとも１つを含む。
【００１２】
上記で言及される方法では、目標関心地点についての記述情報は、次の情報、即ち、関心地点の写真、関心地点の紹介、関心地点のパノラマ画像及び関心地点の経路情報の少なくとも１つを含む。
【００１３】
上記で言及される方法では、本方法は、
関連端末の写真デバイスによって撮影された対象関心地点の写真を取得するステップと、
目標関心地点の写真をサーバに送信するステップと
を更に含む。
【００１４】
本発明の実施形態は、関心地点情報をプッシュするためのシステムであって、
電子地図を表示するための表示ユニットと、
電子地図上の目標関心地点を特定するための第１の処理ユニットと、
目標関心地点についての少なくとも１つの記述情報のアクセス識別を取得するための第２の処理ユニットと、
目標関心地点についての少なくとも１つの記述情報のアクセス識別を更に表示するための表示ユニットと
を備える、システムを更に提供する。
【００１５】
上記で言及されるシステムでは、第１の処理ユニットは、具体的には、
端末についての位置情報及び候補関心地点についての位置情報に従って、電子地図上の関連端末に最も近い候補関心地点を取得するため、
端末に最も近い候補関心地点の距離閾値及び端末に最も近い候補関心地点についての経路情報を取得するため、及び、
端末と端末に最も近い候補関心地点との間の距離が距離閾値以下であり、経路情報が端末の移動経路を含む場合、端末に最も近い候補関心地点を目標関心地点とみなすため
に使用される。
【００１６】
上記で言及されるシステムでは、第１の処理ユニットは、具体的には、
端末についての位置情報及び候補関心地点についての位置情報に従って、電子地図上の関連端末に最も近い少なくとも１つの候補関心地点を取得するため、
クライアントについてのユーザの興味情報を取得するため、及び、
ユーザの興味情報及び少なくとも１つの候補関心地点に従って、目標関心地点を特定するため
に使用される。
【００１７】
上記で言及されるシステムでは、第１の処理ユニットは、具体的には、
電子地図上の第１のトリガ位置に従って、目標関心地点を特定するために使用され、
第１のトリガ位置は、指接触位置、マウスクリック位置又はマウスホバー位置を含む。
【００１８】
上記で言及されるシステムでは、本システムは、
第２のトリガ位置及び目標関心地点についての少なくとも１つの記述情報のアクセス識別に従って、電子地図上の第２のトリガ位置に対応する目標関心地点についての記述情報を取得するための第３の処理ユニットと、
目標関心地点についての記述情報を更に表示するための表示ユニットと
を更に備える。
【００１９】
上記で言及されるシステムでは、第３の処理ユニットは、具体的には、
関連端末に事前に格納された目標関心地点についての記述情報を取得するか、又はサーバから目標関心地点についての記述情報をダウンロードするために使用され、
サーバから目標関心地点についての記述情報をダウンロードする方法は、無線ダウンロード又は有線ダウンロードを含み、無線ダウンロードは、モバイルセルラネットワークを使用してダウンロードすること、３Ｇネットワークを使用してダウンロードすること、４Ｇネットワークを使用してダウンロードすること、又はワイヤレスネットワークを使用してダウンロードすることを含む。
【００２０】
上記で言及されるシステムでは、目標関心地点についての記述情報は、次のフォーマット、即ち、画像フォーマット、音声フォーマット、映像フォーマット及びテキストフォーマットの少なくとも１つを含む。
【００２１】
上記で言及されるシステムでは、目標関心地点についての記述情報は、次の情報、即ち、関心地点の写真、関心地点の紹介、関心地点のパノラマ画像及び関心地点の経路情報の少なくとも１つを含む。
【００２２】
上記で言及されるシステムでは、システムは、
関連端末の写真デバイスによって撮影された目標関心地点の写真を取得するための第４の処理ユニットと、
目標関心地点の写真をサーバに送信するための出力ユニットと
を更に備える。
【発明の効果】
【００２３】
前述の技術的解決策から、本発明の実施形態は、以下の有益な効果を有することが分かる。
【００２４】
本発明の実施形態では、クライアントは、電子地図が表示されている間、特定された目標関心地点についての記述情報のアクセス識別を表示することができる。したがって、目標関心地点についての記述情報のアクセス進入をユーザに直接プッシュすることができ、先行技術において、ユーザが、関心地点情報を手動で検索するか、又はクライアントが観光地域の情報を取得する方法を使用することと比較すると、関心地点情報をプッシュする効率が向上し、関心地点についての記述情報が遅れずに取得され、動作コストが削減される。
【００２５】
本発明の実施形態における技術的解決策をより明確に示すため、実施形態で使用する必要がある添付の図面を以下で簡単に紹介する。明らかに、以下の記述における添付の図面は、単に、本発明の幾つかの実施形態であり、当業者は、発明に関する努力を行うことなく、これらの添付の図面に従って、他の図面を更に得ることができる。
【図面の簡単な説明】
【００２６】
【図１】本発明の実施形態で提供される技術的解決策によって、使用されるシステムを示した図
【図２】本発明の実施形態で提供される、関心地点情報をプッシュするための方法の概略フローチャート
【図３】本発明の実施形態で提供される、関心地点情報をプッシュするためのシステムの機能ブロック図
【発明を実施するための形態】
【００２７】
以下では、本発明の技術的解決策をより良く理解するため、添付の図面と併せて、本発明の実施形態について詳細に説明する。
【００２８】
説明される実施形態は、全ての実施形態よりむしろ、単に、本発明の幾つかの実施形態であることは明確であるものとする。発明に関する努力を行うことなく、本発明の実施形態に基づいて当業者によって得られる他の全ての実施形態は、本発明の保護の範囲内である。
【００２９】
本発明の実施形態で使用される用語は、単に、特定の実施形態を示すことを目的とし、本発明を限定することを意図しない。また、本発明の実施形態及び添付の特許請求の範囲で使用される単数形の用語「１つの（ａ／ａｎ）」、「前記（ｓａｉｄ）」及び「その（ｔｈｅ）」は、文脈において明確に別段の指定がない限り、複数形も含むことを意図する。また、本明細書で使用される用語「及び／又は」は、１つ又は複数の列挙された関連アイテムの任意の又は全ての可能な組合せを示したり、同組合せを含んだりすることも理解するものとする。
【００３０】
第１の、第２の及び第３のなどの用語は、本発明の実施形態では、様々な音声データ及び周波数領域データについて説明するために使用され得るが、音声データ及び周波数領域データは、これらの用語に限定されてはならないことを理解するものとする。これらの用語は、単に、周波数領域データと音声データを区別するために使用される。
【００３１】
本明細書で使用される場合、用語「〜の場合（ｉｆ）」又は「〜のように（ａｓ  ｉｆ）」は、文脈に応じて、「〜の際（ｗｈｅｎ）」、「〜次第（ｕｐｏｎ）」、「〜という特定に応じて（ｉｎ  ｒｅｓｐｏｎｓｅ  ｔｏ  ｄｅｔｅｒｍｉｎｉｎｇ）」又は「〜の検出に応じて（ｉｎ  ｒｅｓｐｏｎｓｅ  ｔｏ  ｄｅｔｅｃｔｉｎｇ）」を意味するものとして解釈することができる。同様に、「〜と特定される場合」又は「（述べられている状態又は事象）が検出される場合」という記載は、文脈に応じて、「〜と特定され次第」若しくは「〜という特定に応じて」、又は「（述べられている状態又は事象）が検出され次第」若しくは「（述べられている状態又は事象）の検出に応じて」を意味するものとして解釈することができる。
【００３２】
図１では、本発明の実施形態で提供される技術的解決策によって使用されるシステムが示され、このシステムは、主に、クライアントとサーバから構成され、本発明の実施形態で提供される方法及びシステムは、クライアント側で達成される。本発明の実施形態では、クライアントは、地図クライアント、ナビゲーションクライアント、観光ガイドクライアントなどを含み得、クライアントが位置する端末は、ナビゲーション端末、観光ガイド端末又はユーザ機器を含み得、ユーザ機器は、パーソナルコンピュータ（ＰＣ）、ノートパソコン、携帯電話又はタブレットコンピュータなどを含み得る。
【００３３】
本発明の実施形態は、関心地点情報をプッシュするための方法を提供する。図２を参照すると、これは、本発明の実施形態で提供される、関心地点情報をプッシュするための方法の概略フローチャートである。図に示されるように、本方法は、以下のステップを含む。
Ｓ２０１  電子地図が表示される。
【００３４】
具体的には、ユーザがクライアントを開いた後、クライアントは電子地図を表示する。
【００３５】
好ましくは、クライアントは、クライアントが位置する端末についての位置情報を取得することができ、次いで、電子地図が表示されている間、クライアントが位置する端末の位置が電子地図にラベル付けされるか、又はクライアントは、電子地図のみを表示することができる。
【００３６】
Ｓ２０２  電子地図上の目標関心地点が特定される。
【００３７】
具体的には、例示として、本発明の実施形態では、電子地図上の目標関心地点を特定するステップは、以下の３つの方法を含み得る。
第１の方法：最初に、クライアントは、端末についての位置情報及び候補関心地点についての位置情報に従って、電子地図上のクライアントが位置する端末に最も近い候補関心地点を取得する。
【００３８】
例示として、クライアントが、クライアントが位置する端末についての位置情報を取得するための方法は、以下の３つの方法を含み得る。
第１の方法：クライアントは、全地球測位システム（ＧＰＳ）モジュールから、ＧＰＳモジュールによって検出された端末についての位置情報を取得するため、クライアントが位置する端末のオペレーティングシステムによって提供されるＧＰＳインターフェースを起動することができる。
【００３９】
第２の方法：端末がＧＰＳ機能を開かないか、又は天候やハードウェアの損傷などのためにＧＰＳ機能を使用できない際、クライアントは、クライアントが位置する端末のオペレーティングシステムによって提供されるワイヤレスフィデリティ（Ｗｉ−Ｆｉ）インターフェースを起動することができ、Ｗｉ−Ｆｉモジュールから、端末の周りの少なくとも１つのＷｉ−Ｆｉホットスポットを取得し、Ｗｉ−Ｆｉホットスポットは、暗号化されたＷｉ−Ｆｉホットスポット及び／又は暗号化されていないＷｉ−Ｆｉホットスポットを含み得る。次いで、クライアントは、少なくとも１つのＷｉ−Ｆｉホットスポットに従って、事前にセットされたＷｉ−Ｆｉデータベースから、各Ｗｉ−Ｆｉホットスポットに対応する位置情報を取得し、次いで、各Ｗｉ−Ｆｉホットスポットに対応する位置情報に従って、端末についての位置情報を取得する。
【００４０】
例えば、クライアントによって取得された端末の周りのＷｉ−Ｆｉホットスポットは、Ｗｉ−Ｆｉ  １、Ｗｉ−Ｆｉ  ２、……、Ｗｉ−Ｆｉ  ｎを含む。それに従って、Ｗｉ−Ｆｉデータベースから取得された位置情報は、（ｘ１，ｙ１）、（ｘ２，ｙ２）、……、（ｘｎ，ｙｎ）を含み、その位置情報に従ってクライアントによって取得された端末についての位置情報は、（（ｘ１＋ｘ２＋…＋ｘｎ）／ｎ，（ｙ１＋ｙ２＋…＋ｙｎ）／ｎ）である。
【００４１】
第３の方法：サーバは、クライアントが位置する端末の信号強度及び端末に信号を提供する基地局の位置を検出し、端末の信号強度に従って、端末と信号を提供する各基地局との間の距離を計算する。各基地局は、距離を半径とし、基地局を円の中心とした円領域で囲まれる。このように、複数の円領域を囲むことができ、複数の円領域の境界の交差点が、クライアントが位置する端末の位置である。したがって、サーバは、クライアントが位置する端末についての位置情報を取得し、次いで、クライアントにその位置情報を送信することができ、クライアントは、クライアントが位置する端末についての位置情報を取得することができる。
【００４２】
クライアントが、クライアントが位置する端末についての位置情報を取得した後、電子地図の各候補関心地点についての位置情報が地図データベースから読み取られ、次いで、端末と各候補関心地点との間の距離が計算され、その結果、電子地図上の端末に最も近い候補関心地点を取得することができる。例えば、クライアントが位置する端末についての位置情報が（ｘ１，ｙ１）であり、候補関心地点Ａについての位置情報が（ｘＡ，ｙＡ）の場合、端末と候補関心地点Ａとの間の距離は
【００４３】
【数１】
2016004571.tif 000003
【００４４】
であり、端末は、距離Ｄの昇順に従って、候補関心地点をランク付けすることができ、首位にランク付けされた候補関心地点が、電子地図上の端末に最も近い候補関心地点である。
【００４５】
次いで、電子地図上の端末に最も近い候補関心地点を取得した後、クライアントは、取得された候補関心地点に従って、地図データベースから、端末に最も近い候補関心地点の距離閾値及び端末に最も近い候補関心地点についての経路情報を取得することができる。距離閾値及び経路情報は、候補関心地点をクライアントの目標関心地点とみなすことができるかどうかを判定するために使用され、経路情報は、どの経路が候補関心地点に到達するかを示す。
【００４６】
最後に、クライアントは、クライアントが位置する端末と端末に最も近い候補関心地点との間の距離を、上記で言及される距離閾値と比較し、クライアントが位置する端末の移動経路が経路情報に属するかどうかを判定する。端末と端末に最も近い候補関心地点との間の距離が距離閾値以下であり、経路情報に含まれる幾つかの経路が端末の移動経路を含む場合、端末に最も近い候補関心地点を目標関心地点とみなす。そうでなければ、即ち、端末と端末に最も近い候補関心地点との間の距離が距離閾値より大きいか、又は端末と端末に最も近い候補関心地点との間の距離が距離閾値以下であるが、経路情報に含まれる幾つかの経路が端末の移動経路を含まない場合、クライアントは、端末に最も近い候補関心地点を目標関心地点と見なさない。即ち、クライアントが位置する端末が候補関心地点のある一定の範囲内にあり、候補関心地点に対応する幾つかの経路の１つの経路に従って候補関心地点に到達する際、候補関心地点を目標関心地点とみなすことができる。
【００４７】
第２の方法：最初に、クライアントは、上記で言及される３つの方法のいずれか１つを使用して、クライアントが位置する端末についての位置情報を取得することができ、それについてはここでは説明しない。クライアントが、クライアントが位置する端末についての位置情報を取得した後、電子地図の各候補関心地点についての位置情報が地図データベースから読み取られ、クライアントが位置する端末についての位置情報及び候補関心地点についての位置情報に従って、端末と各候補関心地点との間の距離Ｄが計算される。端末は、距離Ｄの昇順に従って、候補関心地点をランク付けすることができ、ランキング結果の少なくとも１つの上位にランク付けされた候補関心地点に従って、電子地図上の端末に最も近い少なくとも１つの候補関心地点が取得される。
【００４８】
次いで、クライアントは、要求メッセージをサーバに送信することができ、サーバは、要求メッセージに従って、ユーザデータベースのクライアントに対応するユーザの興味情報を取得し、ユーザの興味情報をクライアントに返送し、その結果、クライアントは、ユーザの興味情報を取得することができる。好ましくは、ユーザの興味情報は、少なくとも１つの興味カテゴリを含み得、興味カテゴリは、歴史、文化、科学技術、スポーツ、漫画及び音楽などを含み得る。
【００４９】
最後に、クライアントは、ユーザの興味情報及び少なくとも１つの候補関心地点に従って、目標関心地点を特定する。例えば、クライアントは、少なくとも１つの興味カテゴリ及び少なくとも１つの候補関心地点の各候補関心地点についてのタイプ情報に従って、少なくとも１つの候補関心地点の中から、少なくとも１つの興味カテゴリに属する少なくとも１つの候補関心地点を取得することができる。少なくとも１つの候補関心地点がユーザの興味情報の興味カテゴリに属する候補関心地点を１つしか有さない場合、その候補関心地点を直接、目標関心地点とみなすことができる。少なくとも１つの候補関心地点がユーザの興味情報の興味カテゴリに属する少なくとも２つの候補関心地点を有する場合、少なくとも２つの候補関心地点のうちの１つを、目標関心地点として無作為に選択することも、少なくとも２つの候補関心地点のうちのユーザ評価が最も高い候補関心地点を目標関心地点とみなすこともできる。例えば、「頤和園」という候補関心地点についてのタイプ情報は「歴史」であり、クライアントに対応する少なくとも１つの興味カテゴリが歴史を含む場合、「頤和園」という候補関心地点を目標関心地点とみなすことができる。別の例として、「中国科学技術館」という候補関心地点についてのタイプは「科学技術」であり、クライアントに対応する少なくとも１つの興味カテゴリが科学技術を含む場合、「中国科学技術館」という候補関心地点を目標関心地点とみなすことができる。
【００５０】
第３の方法：クライアントは、電子地図上の第１のトリガ位置に従って、目標関心地点を特定することができる。例えば、端末に配置されたセンサは、端末の表示画面上のユーザの第１のトリガ位置を検出することができ、第１のトリガ位置は、指接触位置、マウスクリック位置又はマウスホバー位置を含む。センサは、検出した第１のトリガ位置をクライアントに送信し、次いで、クライアントは、電子地図上の第１のトリガ位置に従って、電子地図上の第１のトリガ位置に対応する候補関心地点を取得することができ、候補関心地点を目標関心地点とみなす。即ち、第３の方法は、ユーザによって電子地図から直接選択された候補関心地点を目標関心地点とみなすためのものであり得る。
【００５１】
Ｓ２０３  目標関心地点についての少なくとも１つの記述情報のアクセス識別が取得される。
【００５２】
具体的には、目標関心地点を特定した後、クライアントは、要求メッセージをサーバに送信する必要があり、要求メッセージは、目標関心地点の識別、例えば、目標関心地点についての位置情報又は目標関心地点の名称を伝える。要求メッセージを受信した後、目標関心地点の識別に従って、サーバは、関心地点データベースの目標関心地点に対応する少なくとも１つの記述情報のアクセス識別を検索し、次いで、応答メッセージを介して、少なくとも１つの記述情報のアクセス識別をクライアントに送信する。このように、クライアントは、目標関心地点についての少なくとも１つの記述情報のアクセス識別を取得することができる。
【００５３】
好ましくは、目標関心地点についての少なくとも１つの記述情報のアクセス識別は、目標関心地点についての少なくとも１つの記述情報のアクセスリンクを示し、記述情報のトリガされたアクセスリンクによって、クライアントは、記述情報のアクセスリンクに対応する対象関心地点についての記述情報を表示することができ、少なくとも１つの記述情報のアクセスリンクは、アイコン形式のアクセスリンクであり得、また、テキスト形式のアクセスリンクでもあり得る。
【００５４】
Ｓ２０４  目標関心地点についての少なくとも１つの記述情報のアクセス識別が表示される。
【００５５】
具体的には、クライアントがサーバから目標関心地点についての少なくとも１つの記述情報のアクセス識別を取得した後、クライアントは、目標関心地点についての少なくとも１つの記述情報のアクセス識別を表示する。
【００５６】
例えば、クライアントは、電子地図を表示している間、少なくとも１つの記述情報のアクセス識別を表示することができ、少なくとも１つの記述情報のアクセス識別は、電子地図の右上隅、左上隅、左下隅又は右下隅に位置し得、また、電子地図の目標関心地点の近くにも位置し得る。
【００５７】
任意選択により、Ｓ２０４の後、本方法は、
第２のトリガ位置及び目標関心地点についての少なくとも１つの記述情報のアクセス識別に従って、電子地図上の第２のトリガ位置に対応する目標関心地点についての記述情報を取得するステップと、
目標関心地点についての記述情報を表示するステップと
を更に含み得る。
【００５８】
具体的には、端末に配置されたセンサは、端末の表示画面上のユーザの第２のトリガ位置を検出することができ、第２のトリガ位置は、指接触位置、マウスクリック位置又はマウスホバー位置を含む。センサは、検出した第２のトリガ位置をクライアントに送信し、次いで、クライアントは、電子地図上の第２のトリガ位置及び表示された目標関心地点についての少なくとも１つの記述情報のアクセス識別に従って、電子地図上の第２のトリガ位置に対応する目標関心地点についての記述情報のアクセス識別を特定することができる。例えば、クライアントが目標関心地点についての少なくとも１つの記述情報のアクセス識別を表示した後、ユーザは、タッチスクリーン上の１つの記述情報のアクセス識別に触れ、クライアントは、タッチスクリーン上のユーザが触れた位置に従って、ユーザがどの記述情報のアクセス識別を選択したかを特定することができる。
【００５９】
第２のトリガ位置に対応する目標関心地点についての記述情報のアクセス識別を特定した後、クライアントは、取得する必要がある第２のトリガ位置に対応する目標関心地点についての記述情報を特定する。好ましくは、本発明の実施形態では、クライアントが、第２のトリガ位置に対応する目標関心地点についての記述情報を取得するための方法は、以下の２つの方法を含み得る。
第１の方法：端末は、目標関心地点についての記述情報のアクセス識別に対応する記述情報を事前に格納することができ、目標関心地点についての記述情報を更に表示する必要がある場合、クライアントは、目標関心地点についての記述情報の特定されたアクセス識別に従って、対応する目標関心地点についての記述情報を取得することができ、従って、クライアントは、クライアントが位置する端末に事前に格納された目標関心地点についての記述情報の取得を達成する。即ち、端末は、目標関心地点についての記述情報をあらかじめダウンロードして格納することができ、クライアントが目標関心地点についての記述情報を必要とする際に、格納された目標関心地点についての記述情報を直接取得することができる。
【００６０】
第２の方法：クライアントが目標関心地点についての記述情報のアクセス識別を特定した後、クライアントは、要求メッセージをサーバに送信することができ、要求メッセージは、目標関心地点についての記述情報のアクセス識別を伝える。サーバは、アクセス識別に従って、関心地点データベースの対応する目標関心地点についての記述情報を読み取り、次いで、目標関心地点についての記述情報をクライアントに返送する。即ち、クライアントは、リアルタイムで、サーバから対応する対象関心地点についての記述情報をダウンロードすることができる。好ましくは、クライアントが、サーバから対応する目標関心地点についての記述情報をダウンロードする方法は、無線ダウンロード又は有線ダウンロードを含む。無線ダウンロードは、モバイルセルラネットワークを使用してダウンロードすること、第三世代移動通信技術（３Ｇ）ネットワークを使用してダウンロードすること、第四世代移動通信技術（４Ｇ）ネットワークを使用してダウンロードすること、又はワイヤレスネットワークを使用してダウンロードすることを含み得る。
【００６１】
上記で言及される２つの方法では、目標関心地点についての記述情報は、次のフォーマット、即ち、画像フォーマット、音声フォーマット、映像フォーマット及びテキストフォーマットの少なくとも１つを含む。目標関心地点についての記述情報は、次の情報、即ち、関心地点の写真、関心地点の紹介、関心地点のパノラマ画像及び関心地点の経路情報の少なくとも１つを含む。
【００６２】
例えば、目標関心地点が観光地の場合、クライアントが観光地の歴史的な建物の写真を表示することも、クライアントが音声の観光ガイド情報を再生することも、クライアントが観光地の映像を再生することも、クライアントが観光地についての紹介又は経路情報を表示することも、クライアントが観光地のパノラマ画像を再生することもできる。
【００６３】
任意選択により、本方法は、
関連端末の写真デバイスによって撮影された目標関心地点の写真を取得するステップと、
目標関心地点の写真をサーバに送信するステップと
を更に含み得る。
【００６４】
具体的には、ユーザは、端末の写真デバイスを使用して、目標関心地点の写真を撮影することができ、写真は、端末の内部メモリに格納することができる。クライアントは、端末の内部メモリから、クライアントが位置する端末の写真デバイスによって撮影された目標関心地点の写真を取得することができ、次いで、目標関心地点の写真をサーバに送信する。このように、サーバは、クライアントによってアップロードされた目標関心地点の多くの写真を取得することができ、他のユーザがブラウズできるように、これらの写真を他のクライアントに供給することができる。
【００６５】
本発明の実施形態は、上記で言及される方法の実施形態の各ステップ及び方法を実装する、デバイスの実施形態を更に提供する。
【００６６】
図３を参照すると、これは、本発明の実施形態で提供される、関心地点情報をプッシュするためのシステムの機能ブロック図である。図に示されるように、システムは、
電子地図を表示するための表示ユニット３０と、
電子地図上の目標関心地点を特定するための第１の処理ユニット３１と、
目標関心地点についての少なくとも１つの記述情報のアクセス識別を取得するための第２の処理ユニット３２と、
目標関心地点についての少なくとも１つの記述情報のアクセス識別を更に表示するための表示ユニット３３と
を備える。
【００６７】
好ましくは、第１の処理ユニット３１は、具体的には、
端末についての位置情報及び候補関心地点についての位置情報に従って、電子地図上の関連端末に最も近い候補関心地点を取得するため、
端末に最も近い候補関心地点の距離閾値及び端末に最も近い候補関心地点についての経路情報を取得するため、及び、
端末と端末に最も近い候補関心地点との間の距離が距離閾値以下であり、経路情報が端末の移動経路を含む場合、端末に最も近い候補関心地点を目標関心地点とみなすため
に使用される。
【００６８】
好ましくは、第１の処理ユニット３１は、具体的には、
端末についての位置情報及び候補関心地点についての位置情報に従って、電子地図上の関連端末に最も近い少なくとも１つの候補関心地点を取得するため、
クライアントについてのユーザの興味情報を取得するため、及び、
ユーザの興味情報及び少なくとも１つの候補関心地点に従って、目標関心地点を特定するため
に使用される。
【００６９】
好ましくは、第１の処理ユニット３１は、具体的には、
電子地図上の第１のトリガ位置に従って、目標関心地点を特定するために使用され、
第１のトリガ位置は、指接触位置、マウスクリック位置又はマウスホバー位置を含む。
【００７０】
好ましくは、システムは、
第２のトリガ位置及び目標関心地点についての少なくとも１つの記述情報のアクセス識別に従って、電子地図上の第２のトリガ位置に対応する目標関心地点についての記述情報を取得するための第３の処理ユニット３４と、
目標関心地点についての記述情報を更に表示するための表示ユニット３０と
を更に備える。
【００７１】
好ましくは、第３の処理ユニット３４は、具体的には、
関連端末に事前に格納された目標関心地点についての記述情報を取得するか、又はサーバから目標関心地点についての記述情報をダウンロードするために使用され、
サーバから目標関心地点についての記述情報をダウンロードする方法は、無線ダウンロード又は有線ダウンロードを含み、無線ダウンロードは、モバイルセルラネットワークを使用してダウンロードすること、３Ｇネットワークを使用してダウンロードすること、４Ｇネットワークを使用してダウンロードすること、又はワイヤレスネットワークを使用してダウンロードすることを含む。
【００７２】
好ましくは、目標関心地点についての記述情報は、次のフォーマット、即ち、画像フォーマット、音声フォーマット、映像フォーマット及びテキストフォーマットの少なくとも１つを含む。
【００７３】
好ましくは、目標関心地点についての記述情報は、次の情報、即ち、関心地点の写真、関心地点の紹介、関心地点のパノラマ画像及び関心地点の経路情報の少なくとも１つを含む。
【００７４】
好ましくは、システムは、
関連端末の写真デバイスによって撮影された目標関心地点の写真を取得するための第４の処理ユニット３５と、
目標関心地点の写真をサーバに送信するための出力ユニット３６と
を更に備える。
【００７５】
この実施形態の様々なユニットが図２に示される方法を実行することができるため、この実施形態で詳細に説明されない部分に関して、図２についての関連説明を参照することができる。
【００７６】
本発明の実施形態の技術的解決策は、以下の有益な効果を有する。
【００７７】
１．本発明の実施形態では、クライアントは、電子地図が表示されている間、特定された目標関心地点についての記述情報のアクセス識別を表示することができる。したがって、目標関心地点についての記述情報のアクセス進入をユーザに直接プッシュすることができ、アクセス進入が更にトリガされると、クライアントは、目標関心地点についての記述情報を遅れずに表示することができ、先行技術において、ユーザが、関心地点情報を手動で検索するか、又はクライアントが観光地域の情報を取得する方法を使用することと比較すると、関心地点情報をプッシュする効率が向上し、関心地点についての記述情報が遅れずに取得され、動作コストが削減され、それは、ユーザに大きな利便性をもたらす。
【００７８】
２．本発明の実施形態で提供される技術的解決策は、地図クライアントに適用することができ、従って、ユーザは、支払いなしで関心地点についての記述情報を取得することができ、それにより、ユーザに対する使用コストが削減される。
【００７９】
前述は、単に、本発明の好ましい実施形態であるが、本発明を限定することを意図しない。本発明の精神及び原理から逸脱することなく行われたいかなる変更、同等の置換又は改善も、本発明の保護の範囲内に収まるものとする。
【００８０】
特許請求の範囲では、様々な実施形態の態様が指定される。様々な実施形態のそれらの態様及び他の態様は、以下の番号付き条項で指定される。
【００８１】
１．関心地点情報をプッシュするための方法であって、
電子地図を表示するステップと、
前記電子地図上の目標関心地点を特定するステップと、
前記目標関心地点についての少なくとも１つの記述情報のアクセス識別を取得するステップと、
前記目標関心地点についての少なくとも１つの記述情報のアクセス識別を表示するステップと
を含むことを特徴とする、方法。
【００８２】
２．前記電子地図上の目標関心地点を特定する前記ステップは、
関連端末についての位置情報及び候補関心地点についての位置情報に従って、前記電子地図上の前記端末に最も近い候補関心地点を取得するステップと、
前記端末に最も近い候補関心地点の距離閾値及び前記端末に最も近い候補関心地点についての経路情報を取得するステップと、
前記端末と前記端末に最も近い候補関心地点との間の距離が前記距離閾値以下であり、前記経路情報が前記端末の移動経路を含む場合、前記端末に最も近い候補関心地点を前記目標関心地点とみなすステップと
を含むことを特徴とする、条項１に記載の方法。
【００８３】
３．前記電子地図上の目標関心地点を特定する前記ステップは、
関連端末についての位置情報及び候補関心地点についての位置情報に従って、前記電子地図上の前記端末に最も近い少なくとも１つの候補関心地点を取得するステップと、
クライアントについてのユーザの興味情報を取得するステップと、
前記ユーザの興味情報及び前記少なくとも１つの候補関心地点に従って、前記目標関心地点を特定するステップと
を含むことを特徴とする、条項１に記載の方法。
【００８４】
４．前記電子地図上の目標関心地点を特定する前記ステップは、
前記電子地図上の第１のトリガ位置に従って、前記目標関心地点を特定するステップを含み、
前記第１のトリガ位置は、指接触位置、マウスクリック位置又はマウスホバー位置を含むことを特徴とする、条項１に記載の方法。
【００８５】
５．前記目標関心地点についての少なくとも１つの記述情報のアクセス識別を表示する前記ステップの後、
第２のトリガ位置及び前記目標関心地点についての少なくとも１つの記述情報のアクセス識別に従って、前記電子地図上の前記第２のトリガ位置に対応する前記目標関心地点についての記述情報を取得するステップと、
前記目標関心地点についての記述情報を表示するステップと
を更に含むことを特徴とする、条項１〜４のいずれか一項に記載の方法。
【００８６】
６．前記第２のトリガ位置に対応する前記目標関心地点についての記述情報を取得する前記ステップは、
関連端末に事前に格納された前記目標関心地点についての記述情報を取得するか、又はサーバから前記目標関心地点についての記述情報をダウンロードするステップを含み、
サーバから前記目標関心地点についての記述情報をダウンロードする方法は、無線ダウンロード又は有線ダウンロードを含み、前記無線ダウンロードは、モバイルセルラネットワークを使用してダウンロードすること、第三世代移動通信技術（３Ｇ）ネットワークを使用してダウンロードすること、第四世代移動通信技術（４Ｇ）ネットワークを使用してダウンロードすること、又はワイヤレスネットワークを使用してダウンロードすることを含むことを特徴とする、条項５に記載の方法。
【００８７】
７．前記目標関心地点についての記述情報は、次のフォーマット、即ち、画像フォーマット、音声フォーマット、映像フォーマット及びテキストフォーマットの少なくとも１つを含むことを特徴とする、条項１、５又は６に記載の方法。
【００８８】
８．前記目標関心地点についての記述情報は、次の情報、即ち、関心地点の写真、関心地点の紹介、関心地点のパノラマ画像及び関心地点の経路情報の少なくとも１つを含むことを特徴とする、条項１、５、６又は７に記載の方法。
【００８９】
９．関連端末の写真デバイスによって撮影された前記目標関心地点の写真を取得するステップと、
前記目標関心地点の写真をサーバに送信するステップと
を更に含むことを特徴とする、条項１〜８のいずれか一項に記載の方法。
【００９０】
１０．関心地点情報をプッシュするためのシステムであって、
電子地図を表示するための表示ユニットと、
前記電子地図上の目標関心地点を特定するための第１の処理ユニットと、
前記目標関心地点についての少なくとも１つの記述情報のアクセス識別を取得するための第２の処理ユニットと、
前記目標関心地点についての少なくとも１つの記述情報のアクセス識別を更に表示するための前記表示ユニットと
を備えることを特徴とする、システム。
【００９１】
１１．前記第１の処理ユニットは、具体的には、
関連端末についての位置情報及び候補関心地点についての位置情報に従って、前記電子地図上の前記端末に最も近い候補関心地点を取得するため、
前記端末に最も近い候補関心地点の距離閾値及び前記端末に最も近い候補関心地点についての経路情報を取得するため、及び、
前記端末と前記端末に最も近い候補関心地点との間の距離が前記距離閾値以下であり、前記経路情報が前記端末の移動経路を含む場合、前記端末に最も近い候補関心地点を前記目標関心地点とみなすため
に使用されることを特徴とする、条項１０に記載のシステム。
【００９２】
１２．前記第１の処理ユニットは、具体的には、
関連端末についての位置情報及び候補関心地点についての位置情報に従って、前記電子地図上の前記端末に最も近い少なくとも１つの候補関心地点を取得するため、
クライアントについてのユーザの興味情報を取得するため、及び、
前記ユーザの興味情報及び前記少なくとも１つの候補関心地点に従って、前記目標関心地点を特定するため
に使用されることを特徴とする、条項１０に記載のシステム。
【００９３】
１３．前記第１の処理ユニットは、具体的には、
前記電子地図上の第１のトリガ位置に従って、前記目標関心地点を特定するために使用され、
前記第１のトリガ位置は、指接触位置、マウスクリック位置又はマウスホバー位置を含むことを特徴とする、条項１０に記載のシステム。
【００９４】
１４．第２のトリガ位置及び前記目標関心地点についての少なくとも１つの記述情報のアクセス識別に従って、前記電子地図上の前記第２のトリガ位置に対応する前記目標関心地点についての記述情報を取得するための第３の処理ユニットと、
前記目標関心地点についての記述情報を更に表示するための前記表示ユニットと
を更に備えることを特徴とする、条項１０〜１３のいずれか一項に記載のシステム。
【００９５】
１５．前記第３の処理ユニットは、具体的には、
関連端末に事前に格納された前記目標関心地点についての記述情報を取得するか、又はサーバから前記目標関心地点についての記述情報をダウンロードするために使用され、
サーバから前記目標関心地点についての記述情報をダウンロードする方法は、無線ダウンロード又は有線ダウンロードを含み、前記無線ダウンロードは、モバイルセルラネットワークを使用してダウンロードすること、３Ｇネットワークを使用してダウンロードすること、４Ｇネットワークを使用してダウンロードすること、又はワイヤレスネットワークを使用してダウンロードすることを含むことを特徴とする、条項１４に記載のシステム。
【００９６】
１６．前記目標関心地点についての記述情報は、次のフォーマット、即ち、画像フォーマット、音声フォーマット、映像フォーマット及びテキストフォーマットの少なくとも１つを含むことを特徴とする、条項１０、１４又は１５に記載のシステム。
【００９７】
１７．前記目標関心地点についての記述情報は、次の情報、即ち、関心地点の写真、関心地点の紹介、関心地点のパノラマ画像及び関心地点の経路情報の少なくとも１つを含むことを特徴とする、条項１０、１４、１５又は１６に記載のシステム。
【００９８】
１８．関連端末の写真デバイスによって撮影された前記目標関心地点の写真を取得するための第４の処理ユニットと、
前記目標関心地点の写真をサーバに送信するための出力ユニットと
を更に備えることを特徴とする、条項１０〜１７のいずれか一項に記載のシステム。
【符号の説明】
【００９９】
３０  表示ユニット
３１  第１の処理ユニット
３２  第２の処理ユニット
３３  表示ユニット
３４  第３の処理ユニット
３５  第４の処理ユニット
３６  出力ユニット
【図１】
2016004571.tif 000004
【図２】
2016004571.tif 000005
【図３】
2016004571.tif 000006
【外国語明細書】
2016004571000001.pdf